(57)【要約】【課題】基板への取付けを行い得るように構成された動電型の電気音響変換器において、余分な部材およびその装着工数を必要とすることなくコンパクトな構成でバックロード機能を持たせる。【解決手段】振動板１２、ボイスコイル１４および磁気回路ユニット１６を収容するケース２２に、正面放音用開口部２２ｂおよび背面放音用開口部２２ｃのほかに、この背面放音用開口部２２ｃを介して電気音響変換器１０の背面空間へ放射された音をその正面空間へ導くためのバックロード用放音通路２２ｄを形成する。このように電気音響変換器１０のケース２２自体にバックロード機能を持たせることにより、従来のようにアダプタにバックロード機能を持たせるようにした場合に比して、余分な部材およびその装着工数を必要とすることなく、かつたコンパクトな構成で、バックロード機能を確保可能とする。【選択図】　　　　　図４
2004007305.tif 000002
【特許請求の範囲】
【請求項１】
基板への取付けを行い得るように構成された動電型の電気音響変換器であって、
振動板と、この振動板に一端部が固定されたボイスコイルと、このボイスコイルの他端部を収容する筒状磁気間隙が形成された磁気回路ユニットと、これら振動板、ボイスコイルおよび磁気回路ユニットを収容するケースとを備えてなり、
上記ケースに、上記振動板から上記電気音響変換器の正面空間へ向けて音を放射するための正面放音用開口部と、上記振動板から上記電気音響変換器の背面空間へ向けて音を放射するための背面放音用開口部と、この背面放音用開口部を介して上記背面空間へ放射された音を上記正面空間へ導くためのバックロード用放音通路とが形成されている、ことを特徴とする電気音響変換器。
【請求項２】
上記バックロード用放音通路が、上記ケースを貫通する少なくとも１つの貫通孔によって構成されている、ことを特徴とする請求項１記載の電気音響変換器。
【請求項３】
上記貫通孔が、上記磁気回路ユニットに沿って該磁気回路ユニットの周方向に延びるように形成されている、ことを特徴とする請求項２記載の電気音響変換器。
【請求項４】
上記ケースの外形形状が、正面視において略矩形形状に設定されている、ことを特徴とする請求項１〜３いずれか記載の電気音響変換器。
【発明の詳細な説明】
【０００１】
【発明の属する技術分野】
本願発明は、基板への取付けを行い得るように構成された動電型の電気音響変換器に関するものである。
【０００２】
【従来の技術】
一般に、動電型の電気音響変換器（例えばスピーカやマイクロホン等）は、振動板と、この振動板に一端部が固定されたボイスコイルと、このボイスコイルの他端部を収容する筒状磁気間隙が形成された磁気回路ユニットとを備えた構成となっている。
【０００３】
その際、小型の電気音響変換器は、外部機器（例えば携帯電話機や受話器等）の基板に取り付け得るように構成されたものが多いが、このような電気音響変換器においては、振動板から電気音響変換器の正面空間へ向けて放射される音だけでは、低音域での音圧が不十分となりやすい。
【０００４】
そこで従来より、振動板から電気音響変換器の正面空間へ向けて放射される音だけでなく、電気音響変換器の背面空間へ向けて放射される音についても利用する機能（いわゆるバックロード機能）を持たせることにより、音圧の周波数特性を改善する工夫がなされている。
【０００５】
例えば、国際公開ＷＯ００／２１３３０号公報には、電気音響変換器が装着される外部機器のケースに所定の開口部を形成しておくことにより、振動板から電気音響変換器の背面空間へ放射された音を外部機器の正面空間へ導く工夫がなされている。
【０００６】
また、国際公開ＷＯ００／５９２６３号公報には、電気音響変換器を外部機器に装着するためのアダプタに複数の貫通孔を形成して、電気音響変換器の背面空間と正面空間とを連通させることにより、振動板から電気音響変換器の背面空間へ放射された音をその正面空間へ導く工夫がなされている。
【０００７】
【発明が解決しようとする課題】
しかしながら、上記従来の電気音響変換器においては、次のような問題がある。
【０００８】
すなわち、上記国際公開ＷＯ００／２１３３０号公報記載の電気音響変換器においては、バックロード機能を持たせるために外部機器のケースに開口部を形成する必要があるが、電気音響変換器の装着位置等によっては、外部機器のケースに開口部を形成することが困難な場合が少なくなく、このため汎用性に欠ける、という問題がある。
【０００９】
これに対し、上記国際公開ＷＯ００／５９２６３号公報記載の電気音響変換器は、アダプタを利用してバックロード機能を持たせる構成となっているので、汎用性を確保することは可能であるが、電気音響変換器を外部機器に装着する際にアダプタを必要としない装着構造を採用した場合であっても、上記アダプタと同様の複数の貫通孔が形成された部材が必要となる。このため、バックロード機能を持たせるために余分な部材が必要になってしまい、その装着工数も余分に必要になってしまう、という問題がある。また、電気音響変換器を外部機器に装着するために必要なスペースが大きくなってしまう、という問題もある。
【００１０】
本願発明は、このような事情に鑑みてなされたものであって、基板への取付けを行い得るように構成された動電型の電気音響変換器において、余分な部材およびその装着工数を必要とすることなくコンパクトな構成でバックロード機能を持たせることができる電気音響変換器を提供することを目的とするものである。
【００１１】
【課題を解決するための手段】
本願発明は、電気音響変換器のケース自体にバックロード機能を持たせることにより、上記目的達成を図るようにしたものである。
【００１２】
すなわち、本願発明に係る電気音響変換器は、
基板への取付けを行い得るように構成された動電型の電気音響変換器であって、
振動板と、この振動板に一端部が固定されたボイスコイルと、このボイスコイルの他端部を収容する筒状磁気間隙が形成された磁気回路ユニットと、これら振動板、ボイスコイルおよび磁気回路ユニットを収容するケースとを備えてなり、
上記ケースに、上記振動板から上記電気音響変換器の正面空間へ向けて音を放射するための正面放音用開口部と、上記振動板から上記電気音響変換器の背面空間へ向けて音を放射するための背面放音用開口部と、この背面放音用開口部を介して上記背面空間へ放射された音を上記正面空間へ導くためのバックロード用放音通路とが形成されている、ことを特徴とするものである。
【００１３】
上記「電気音響変換器」は、動電型の電気音響変換器であれば、その種類は特に限定されるものではなく、例えば、小型のスピーカ、ブザー、マイクロホン、レシーバ等が採用可能である。
【００１４】
上記「振動板」、「ボイスコイル」および「磁気回路ユニット」は、動電型の電気音響変換器の構成要素として使用可能なものであれば、その具体的構成は特に限定されるものではない。
【００１５】
上記「ケース」は、振動板、ボイスコイルおよび磁気回路ユニットを収容し得るように構成されたものであれば、その外形形状、材質等の具体的構成は特に限定されるものではない。
【００１６】
上記「バックロード用放音通路」は、背面放音用開口部を介して背面空間へ放射された音を正面空間へ導き得るように形成されたものであれば、その形状、大きさ、経路等の具体的構成は特に限定されるものではない。
【００１７】
【発明の作用効果】
上記構成に示すように、本願発明に係る電気音響変換器は、振動板、ボイスコイルおよび磁気回路ユニットを収容するケースに、正面放音用開口部および背面放音用開口部のほかに、この背面放音用開口部を介して電気音響変換器の背面空間へ放射された音をその正面空間へ導くためのバックロード用放音通路が形成されているので、次のような作用効果を得ることができる。
【００１８】
すなわち、電気音響変換器のケース自体にバックロード機能を持たせるように構成されているので、従来のようにアダプタにバックロード機能を持たせるようにした場合に比して、余分な部材およびその装着工数を必要とすることなくバックロード機能を持たせることができ、また、コンパクトな構成でバックロード機能を持たせることができる。
【００１９】
このように本願発明によれば、基板への取付けを行い得るように構成された動電型の電気音響変換器において、余分な部材およびその装着工数を必要とすることなくコンパクトな構成でバックロード機能を持たせることができる。
【００２０】
上記「バックロード用放音通路」の具体的構成が特に限定されないことは上述したとおりであり、例えば、ケース外周面に形成された溝状凹陥部等によってバックロード用放音通路を構成することも可能であるが、ケースを貫通する１つまたは複数の貫通孔によってバックロード用放音通路を構成するようにすれば、電気音響変換器の装着対象となる外部機器の形状等に依存することなく、バックロード機能を確保することができる。
【００２１】
その際、上記「貫通孔」は、直線的に延びるように形成してもよいが、これを磁気回路ユニットに沿ってその周方向に延びるように形成すれば、バックロード用放音通路を比較的長い音道として確保することが可能となり、これにより所望する周波数特性を容易に得ることが可能となる。
【００２２】
また上記構成において、ケースの外形形状を正面視において円形形状等に設定するようにしてもよいが、これを正面視において略矩形形状に設定するようにすれば、電気音響変換器を向きを容易に把握することができるので、該電気音響変換器を外部機器の基板に対して所定の向きで精度良く取り付けることができる。
【００２３】
【発明の実施の形態】
以下、図面を用いて、本願発明の実施の形態について説明する。
【００２４】
図１は、本願発明の一実施形態に係る電気音響変換器１０を、その正面が上になるように配置した状態で示す側断面図である。また、図２および３は、その平面図および底面図である。
【００２５】
これらの図に示すように、本実施形態に係る電気音響変換器１０は、小型の動電型スピーカであって、後述するように携帯電話機等の外部機器に装着された状態で使用されるようになっている。
【００２６】
この電気音響変換器１０は、振動板１２と、ボイスコイル１４と、磁気回路ユニット１６と、端子ユニット１８と、固定リング２０と、これらを収容するケース２２とからなっている。
【００２７】
ケース２２は、合成樹脂製の射出成形品であって、その外形形状が正面視（図２に示す状態）において略矩形形状（具体的には正方形）に設定されており、その内部には円柱状の収容空間Ｃ１が形成されている。
【００２８】
振動板１２は、同心円状に形成された複数の凹凸を有するダイヤフラム状の部材であって、合成樹脂フィルムに熱プレス成形を施すことにより形成されている。そして、この振動板１２は、その外周縁平坦部１２ａにおいて固定リング２０を介してケース２２に固定されており、また、その中間平坦部１２ｂにはボイスコイル１４の上端部（一端部）が接着固定されている。
【００２９】
磁気回路ユニット１６は、鋼製のベース２４と、マグネット２６と、鋼製のヨーク２８とからなっている。
【００３０】
ベース２４は、リング状平板部２４Ａの内周縁に上向きフランジ部２４Ｂが形成されてなり、その周方向４箇所には、リング状平板部２４Ａから上向きフランジ部２４Ｂの上端縁まで延びる切欠き部２４ａが９０°間隔で形成されている。マグネット２６は、ベース２４の上向きフランジ部２４Ｂの外径よりも所定寸法大きい内径を有するリング状の部材であって、ベース２４のリング状平板部２４Ａの上面に該ベース２４と同心で固定されている。ヨーク２８は、マグネット２６の内径よりも僅かに小さい内径を有するリング状の部材であって、マグネット２６の上面に該マグネット２６と同心で固定されている。このヨーク２８の上面の内周寄りの部分には、振動板１２との干渉を回避するための環状凹部２８ａが形成されている。これらベース２４、マグネット２６およびヨーク２８の外径は、ケース２２の収容空間Ｃ１の直径と略同じ値に設定されている。
【００３１】
そして、この磁気回路ユニット１６は、ケース２２に収容された状態で、そのベース２４の上向きフランジ部２４Ｂの外周面とヨーク２８の内周面との間に、ボイスコイル１４の下端部（他端部）を収容する円筒状磁気間隙を全周同一幅で形成するようになっている。その際、磁気回路ユニット１６は、ケース２２の収容空間Ｃ１に下方側から挿入され、そのヨーク２８の上面外周縁部を振動板１２の外周縁平坦部１２ａに当接させた状態で、収容空間Ｃ１の周壁面２２ａに接着固定されるようになっている。
【００３２】
端子ユニット１８は、上面に２枚の端子プレート３０、３２が所定間隔をおいて配置された端子基板３４と、この端子基板３４を載置固定する基板支持部材３６と、大径コイルスプリング３８と、小径コイルスプリング４０とからなり、磁気回路ユニット１６の中央部に固定支持されている。
【００３３】
各端子プレート３０、３２には、ボイスコイル１４のコイル端末１４ａ、１４ｂが熱圧着等により固定されている。また、各端子プレート３０、３２おけるコイル端末固定部から離れた位置には、コイルスプリング挿通孔が形成されており、これら各コイルスプリング挿通孔には、略同心で配置された大径コイルスプリング３８および小径コイルスプリング４０の上端部３８ａ、４０ａが下方側から挿通されている。そして、これら大径コイルスプリング３８および小径コイルスプリング４０は、その上端部３８ａ、４０ａにおいて各端子プレート３０、３２の上面にハンダ付け固定されている。なお、大径コイルスプリング３８は、比較的太い線径で、その下端部へ向けて巻径が徐々に大きくなるように形成されており、一方、小径コイルスプリング４０は、比較的細い線径で、その下端部へ向けて巻径が徐々に小さくなるように形成されている。
【００３４】
基板支持部材３６は、磁気回路ユニット１６のベース２４の上向きフランジ部２４Ｂに下方側から嵌め込まれるようにして該ベース２４に固定されている。その際、基板支持部材３６の外周面下端部に形成された外周フランジ部がベース２４に当接して、その挿入量の設定が行われるようになっている。この基板支持部材３６の外周部における周方向４箇所には、切欠き部３６ａが９０°間隔で形成されている。これら各切欠き部３６ａは、基板支持部材３６をベース２４に挿入固定する際、該ベース２４の各切欠き部２４ａと周方向の位置合わせがされ、これら各切欠き部３６ａと各切欠き部２４ａとで、４つの放音孔を形成するようになっている。
【００３５】
ケース２２には、振動板１２から電気音響変換器１０の正面空間へ向けて音を放射するための正面放音用開口部２２ｂと、振動板１２から電気音響変換器１０の背面空間へ向けて音を放射するための背面放音用開口部２２ｃと、この背面放音用開口部２２ｃを介して電気音響変換器１０の背面空間へ放射された音を電気音響変換器１０の正面空間へ導くためのバックロード用放音通路２２ｄとが形成されている。
【００３６】
正面放音用開口部２２ｂは、ケース２２の上部において該ケース２２の収容空間Ｃ１の周壁面２２ａよりもやや小径の円形断面形状で形成されており、収容空間Ｃ１を電気音響変換器１０の正面空間と連通させるようになっている。背面放音用開口部２２ｃは、ケース２２の下部において収容空間Ｃ１の周壁面２２ａの一部として構成されている。バックロード用放音通路２２ｄは、ケース２２における収容空間Ｃ１の外周側においてケース２２を貫通するように形成されている。その際、このバックロード用放音通路２２ｄは、収容空間Ｃ１をリング状に囲むようにしてケース２２の下端面からその上端面近傍まで延びるリング状溝部２２ｄ１と、このリング状溝部２２ｄ１からケース２２の上端面まで延びる複数（１２個）の貫通孔２２ｄ２とからなっている。これら各貫通孔２２ｄ２は、リング状溝部２２ｄ１に沿って円弧状に延びる長円形の断面形状を有している。
【００３７】
磁気回路ユニット１６は、そのベース２４の下面がケース２２の下端面よりもやや上方に位置するように形成されている。一方、端子ユニット１８は、その基板支持部材３６の下面がケース２２の下端面よりもやや下方に位置するように形成されている。また、この端子ユニット１８の大径コイルスプリング３８および小径コイルスプリング４０は、その下端部がケース２２の下端面よりも所定量下方へ突出するように形成されている。
【００３８】
本実施形態に係る電気音響変換器１０においては、振動板１２が振動すると、ケース２２の正面放音用開口部２２ｂを介して電気音響変換器１０の正面空間へ向けて音を放射するとともに、磁気回路ユニット１６の切欠き部２４ａと端子ユニット１８の切欠き部３６ａとからなる放音孔およびケース２２の背面放音用開口部２２ｃを介して電気音響変換器１０の背面空間へ向けて音を放射し、さらに、この背面放音用開口部２２ｃを介して電気音響変換器１０の背面空間へ放射された音を、バックロード用放音通路２２ｄを介して電気音響変換器１０の正面空間へ導くようになっている。
【００３９】
図４は、本実施形態に係る電気音響変換器１０を、携帯電話機１００に装着した状態で示す側断面図である。
【００４０】
図示のように、本実施形態に係る電気音響変換器１０は、携帯電話機１００のケース１０２の内部において、バネ圧接により該携帯電話機１００の基板１０４に取り付けられている。
【００４１】
この携帯電話機１００のケース１０２における電気音響変換器１０の正面部位には、複数の放音孔１０２ａが形成されている。また、このケース１０２の内面には、電気音響変換器１０のケース２２の外形形状に沿って突出するフランジ部１０２ｂと、このフランジ部１０２ｂの内周側コーナ部において突出する複数のケース受け部１０２ｃとが形成されている。
【００４２】
そして、この携帯電話機１００の基板１０４には、複数の開口部１０４ａが形成されている。また、この基板１０４の上面には、２つの端子プレート１０６、１０８が配置されている。
【００４３】
電気音響変換器１０の携帯電話機１００に対する装着は、電気音響変換器１０のケース２２を、携帯電話機１００のケース１０２のケース受け部１０２ｃに当接するまでそのフランジ部１０２ｂの内周側に嵌め込んでケース１０２に仮止め固定し、この仮止め固定状態で、電気音響変換器１０の大径コイルスプリング３８および小径コイルスプリング４０を、携帯電話機１００の基板１０４の端子プレート１０６、１０８に押し当てることによって行われるようになっている。
【００４４】
このようにして携帯電話機１００に装着された状態で電気音響変換器１０が駆動され、その振動板１２が振動すると、その正面放音用開口部２２ｂを介して電気音響変換器１０の正面空間へ向けて放射された音は、ケース１０２の放音孔１０２ａを介して携帯電話機１００の正面空間へ放射されるとともに、電気音響変換器１０の背面放音用開口部２２ｃを介して電気音響変換器１０の背面空間へ向けて放射された音は、基板１０４の開口部１０４ａを介して携帯電話機１００の内部空間Ｃ２へ放射され、さらに、この内部空間Ｃ２へ放射された音は、基板１０４の開口部１０４ａ、ケース２２のバックロード用放音通路２２ｄおよびケース１０２の放音孔１０２ａを介して、携帯電話機１００の正面空間へ放射されることとなる。
【００４５】
以上詳述したように、本実施形態に係る電気音響変換器１０は、その振動板１２、ボイスコイル１４および磁気回路ユニット１６を収容するケース２２に、正面放音用開口部２２ｂおよび背面放音用開口部２２ｃのほかに、この背面放音用開口部２２ｃを介して電気音響変換器１０の背面空間へ放射された音をその正面空間へ導くためのバックロード用放音通路２２ｄが形成されているので、次のような作用効果を得ることができる。
【００４６】
すなわち、電気音響変換器１０のケース２２自体にバックロード機能を持たせるように構成されているので、従来のようにアダプタにバックロード機能を持たせるようにした場合に比して、余分な部材およびその装着工数を必要とすることなくバックロード機能を持たせることができ、また、コンパクトな構成でバックロード機能を持たせることができる。
【００４７】
その際、本実施形態においては、ケース２２を貫通するリング状溝部２２ｄ１および複数の貫通孔２２ｄ２によってバックロード用放音通路２２ｄが構成されているので、電気音響変換器１０の装着対象となる外部機器の形状等に依存することなく、バックロード機能を確保することができる。
【００４８】
しかも本実施形態においては、ケース２２の外形形状が正面視において略矩形（正方形）に設定されているので、電気音響変換器１０を向きを容易に把握することができ、これにより電気音響変換器１０を携帯電話機１００の基板１０４に対して所定の向きで精度よく載置することができる。
【００４９】
次に、上記実施形態の第１変形例について説明する。
【００５０】
図５は、本変形例に係る電気音響変換器５０を示す平面図であり、図６は、そのケース５２を単品で示す斜視図である。
【００５１】
この電気音響変換器５０は、ケース５２以外の構成および該ケース５２の周壁面５２ａ、正面放音用開口部５２ｂおよび背面放音用開口部５２ｃの構成については、上記実施形態の電気音響変換器１０と同様である。
【００５２】
本変形例においては、バックロード用放音通路５２ｄが、ケース５２の各コーナ部に、該ケース５２を上下方向に貫通する４つの柱状貫通孔によって構成されている。
【００５３】
本変形例の構成を採用した場合においても、上記実施形態と同様の作用効果を得ることができる。しかも本変形例においては、バックロード用放音通路５２ｄが、ケース５２の各コーナ部に配置されているので、上記実施形態に比してケース５２を一層コンパクトに構成することができる。
【００５４】
次に、上記実施形態の第２変形例について説明する。
【００５５】
図７は、本変形例に係る電気音響変換器６０を示す平面図であり、図８は、そのケース６２を単品で示す斜視図である。
【００５６】
この電気音響変換器６０は、ケース６２以外の構成および該ケース６２の周壁面６２ａ、正面放音用開口部６２ｂおよび背面放音用開口部６２ｃの構成については、上記実施形態の電気音響変換器１０と同様である。
【００５７】
本変形例においては、バックロード用放音通路６２ｄが、ケース６２内において収容空間Ｃ１に沿ってその周方向に延びるように形成されている。
【００５８】
すなわち、ケース６２は、収容空間Ｃ１が形成されたケース本体６２Ａと、このケース本体６２Ａに固定された１対のカバー６２Ｂとからなっている。
【００５９】
そして、ケース本体６２Ａは、その収容空間Ｃ１の両側に、下方へ開放した１対の空間部６２ｄ１が形成されており、その対角線上に位置する１対のコーナ部には、空間部６２ｄ１を正面空間と連通させる開口部６２ｄ２が形成されている。一方、各カバー６２Ｂは、ケース本体６２Ａの空間部６２ｄ１を下方側から閉塞するとともに、その残り１対のコーナ部に開口部６２ｄ３が形成された板状部材からなっている。
【００６０】
本変形例におけるバックロード用放音通路６２ｄは、電気音響変換器６０の背面空間へ放射された音を各開口部６２ｄ３から各空間部６２ｄ１に導き、そして各開口部６２ｄ２を介して正面空間へ導くようになっている。
【００６１】
本変形例の構成を採用した場合においても、上記実施形態と同様の作用効果を得ることができる。しかも本変形例によれば、バックロード用放音通路６２ｄが、ケース６２内において収容空間Ｃ１に沿ってその周方向に延びるように形成されているので、比較的長い音道を確保することが可能となり、これにより所望する周波数特性を容易に得ることが可能となる。
【００６２】
次に、上記実施形態の第３変形例について説明する。
【００６３】
図９は、本変形例に係る電気音響変換器７０を示す平面図であり、図１０は、そのケース７２を単品で示す斜視図である。
【００６４】
この電気音響変換器７０は、ケース７２以外の構成および該ケース７２の周壁面７２ａ、正面放音用開口部７２ｂおよび背面放音用開口部７２ｃの構成については、上記実施形態の電気音響変換器１０と同様である。
【００６５】
本変形例においては、バックロード用放音通路７２ｄが、ケース７２の各コーナ部近傍部位において、該ケース７２の外周面に沿って上下方向に延びるように形成された８本の溝状凹陥部により構成されている。
【００６６】
これら各溝状凹陥部７２ｄは、電気音響変換器７０が携帯電話機１００に装着されたとき、該溝状凹陥部７２ｄと携帯電話機１００のケース１０２のフランジ部１０２ｂとで閉断面を形成し、これにより電気音響変換器７０の背面空間へ放射された音をその正面空間へ導くようになっている。
【００６７】
本変形例の構成を採用した場合においても、上記実施形態と同様の作用効果を得ることができる。しかも本変形例においては、バックロード用放音通路が溝状凹陥部７２ｄで形成されているので、バックロード用放音通路を容易に形成することができる。
【００６８】
なお、上記実施形態および各変形例においては、端子ユニット１８がボイスコイル１４の内周側に設けられているものとして説明したが、端子ユニット１８がボイスコイル１４の外周側に設けられる場合においても、上記実施形態および各変形例と同様の作用効果を得ることができる。
【図面の簡単な説明】
【図１】本願発明の一実施形態に係る電気音響変換器を、その正面が上になるように配置した状態で示す側断面図
【図２】上記電気音響変換器を示す平面図
【図３】上記電気音響変換器を示す底面図
【図４】上記電気音響変換器を、携帯電話機に装着した状態で示す側断面図
【図５】上記実施形態の第１変形例に係る電気音響変換器を示す平面図
【図６】上記第１変形例に係る電気音響変換器のケースを単品で示す斜視図
【図７】上記実施形態の第２変形例に係る電気音響変換器を示す平面図
【図８】上記第２変形例に係る電気音響変換器のケースを単品で示す斜視図
【図９】上記実施形態の第３変形例に係る電気音響変換器を示す平面図
【図１０】上記第３変形例に係る電気音響変換器のケースを単品で示す斜視図
【符号の説明】
１０、５０、６０、７０　電気音響変換器
１２　振動板
１２ａ　外周縁平坦部
１２ｂ　中間平坦部
１４　ボイスコイル
１４ａ、１４ｂ　コイル端末
１６　磁気回路ユニット
１８　端子ユニット
２０　固定リング
２２、５２、６２、７２　ケース
２２ａ、５２ａ、６２ａ、７２ａ　周壁面
２２ｂ、５２ｂ、６２ｂ、７２ｂ　正面放音用開口部
２２ｃ、５２ｃ、６２ｃ、７２ｃ　背面放音用開口部
２２ｄ、５２ｄ、６２ｄ　バックロード用放音通路
２２ｄ１　リング状溝部
２２ｄ２　貫通孔
２４　ベース
２４Ａ　リング状平板部
２４Ｂ　上向きフランジ部
２４ａ　切欠き部
２６　マグネット
２８　ヨーク
２８ａ　環状凹部
３０、３２　端子プレート
３４　端子基板
３６　基板支持部材
３６ａ　切欠き部
３８　大径コイルスプリング
３８ａ、４０ａ　上端部
４０　小径コイルスプリング
６２Ａ　ケース本体
６２Ｂ　カバー
６２ｄ１　空間部
６２ｄ２、６２ｄ３　開口部
７２ｄ　バックロード用放音通路（溝状凹陥部）
１００　携帯電話機（外部機器）
１０２　ケース
１０２ａ　放音孔
１０２ｂ　フランジ部
１０２ｃ　ケース受け部
１０４　基板
１０４ａ　開口部
１０６、１０８　端子プレート
Ｃ１　収容空間
Ｃ２　内部空間
【図１】
2004007305.tif 000003
【図２】
2004007305.tif 000004
【図３】
2004007305.tif 000005
【図４】
2004007305.tif 000006
【図５】
2004007305.tif 000007
【図６】
2004007305.tif 000008
【図７】
2004007305.tif 000009
【図８】
2004007305.tif 000010
【図９】
2004007305.tif 000011
【図１０】
2004007305.tif 000012